(57)【要約】【課題】    先の、阪神淡路大震災では、家具類の転倒、落下、横すべりによる死傷者が多数あった。これは、家具類の底や裏に、すべり止めや、ダボ、金具類を付けただけの物がほとんどで大地震に対応出来ていない為であった。特にフローリングに置いてあるテーブルは床に傷がつくといけないので止める方法が無かった。【解決手段】  天板の重さとアリ桟を利用して、床に吸盤を吸着させ、大きな揺れに対しても、動き回ったり、周囲の人や物に被害を出したりしないようにした、しかも、簡単に移動出来て、床に傷が付かない地震時の避難用テーブル。【選択図】    図１３
2005199003.tif 000002
【特許請求の範囲】
【請求項１】
室内のフローリングの上にあって、地震時に転倒や横すべりしないようにテーブルの足の中に吸盤を内蔵した避難用テーブル。
【請求項２】
天板の裏に取り付けてあるアリ桟を、アリ桟ケースの中に入れると、天板の重さで中にあるパイプが下がり吸盤ケースの中にある吸盤が床に押し付けられて吸着し固定される。この後、アリ桟ケースに焼き入れボルトを差し込んで固定する。移動時に焼き入れボルトを外し、天板を持ち上げて、アリ桟を、アリ桟ケースから外すと、約１０分で吸盤に空気が流入して自然に解除出来る避難用テーブル。
【請求項３】
吸盤の中には、横からの力がかかったときに変形し、空気が流入してくるのを防ぐ為の変形防止リングやパイプの先端のすべり止め、さらに吸着力を向上させる為の吸盤押さえを装備し、フローリングを傷つけずに簡単に移動、設置出来る吸盤式の避難用テーブルで、大地震で室内を動き回ったり倒れたりするとされる食器棚、本棚、サイドボード、ベッド等の重くて取り付けしにくいものにも応用できる吸盤式の装置。
【発明の詳細な説明】
【技術分野】
【０００１】本発明は、一般住宅や、その他の建物で地震時に避難し落下物や倒れかかったりする物から身体を守り、縦揺れや横揺れに対しても、周囲に損傷を与えないようにした吸盤式の避難用テーブルに関する。
【技術背景】
【０００２】従来の地震時の避難にはダイニングテーブルや、事務机、学習机等がある。
【技術の開示】
【発明が解決しようとする課題】
【０００３】従来、大地震の際には、最も危険とされる家具類の転倒、頭上からの落下物や室内を走りまわるテーブル等により多く死傷したりする事があったが、すぐに安全に避難できるものがなかった。
【０００４】さらに、現在、洋風化が進み、テーブル類の多くはフローリングの上に設置してあって、金具とか両面テープ等を使って固定すれば、傷が入ったり、外観が悪くなったり、また、簡単に移動出来ない問題があった。
【０００５】本発明はこのような従来の問題を解決しようとするものであり、大地震でも、室内をテーブルが走り回ったり、突き上げられて宙に浮いたりする事なく、安心して避難出来て、しかも床を傷つけずに簡単に移動出来る避難用テーブルを実現することを目的とするものである。
【課題を解決するための手段】
【０００６】本発明は上記目的を達成する為の吸盤式の避難用テーブルは、吸盤で吸いつけられているので、金具とか両面テープ等を使用した場合のように傷がつかず、簡単に移動出来る事を基本的特徴とする。
【発明の効果】
【０００７】吸盤式なので床に傷がつかない。
【０００８】移動が簡単である。
【０００９】直下型と言われる縦揺れにも強い。
【００１０】構造が簡単なので故障が無く、メンテナンスが楽である。
【００１１】大きな揺れでもテーブルが動き回らないので周囲に損傷を与える事がない。
【発明を実施するための最良の形態】
【実施例】
【００１２】以下、本発明の実施の形態を図１〜図１４に基づいて説明する。【００１３】図１において〔ア〕は家庭で排水等が詰まった時に使う吸盤である。【００１４】〔イ〕は柄を取り外した図である。【００１５】〔ウ〕は鉄のパイプ２に取り替えて、先端にタップでメネジ３を切りアリ桟を受ける為のボルト３０とアリ桟受用座金３１を取り付けした図である。【００１６】〔エ〕は手４で押さえて吸着し、横から力を加えている図である。【００１７】図２の〔Ａ〕は横滑りを少なくする為に吸盤内の上部に、すべり止め材３３を装着した図である。【００１８】〔Ｂ〕は上から吸盤を押さえた図であるが５の吸盤内側の容積が広い為に吸着力が弱い事を表す図である。【００１９】〔Ｃ〕は吸着力を向上させる為に６の吸盤押さえを装着した図である。これは木で作った。【００２０】〔Ｄ〕は吸盤押さえ６を装着して押さえた図である。５の吸盤内側の容積が大きく減少している事が分かる。【００２１】図３の〔Ｅ〕は吸盤押さえ６を装着しないで持ち上げた図である。７のフローリングに１０ｋｇの木材を固定したものを持ち上げた。【００２２】〔Ｆ〕は吸盤押さえ６を装着した図である。１０ｋｇの木材８を２個持ち上げた。【００２３】図４の〔Ｇ〕は吸盤にすべり止め材３３と６の吸盤押さえを装着した図であるが、さらに横からの力で吸盤が変形して空気が流入するのを防ぐ為に次のような改良を行った。【００２４】〔Ｈ〕は吸盤底に鋼管を４ｍｍの幅に輪切りにした物を装着し、横滑りした時に起きる変形防止に備えた。【００２５】〔Ｉ〕は、すべり止め材３３と吸盤押さえ６と、さらに変形防止リング９を装着して吸着させた図である。【００２６】図５は、天板のアリ桟を収納する為のアリ桟ケース６１の分解図である。アリ桟ケース底板１０には２６ぬき受けホゾ穴上側、２７の側板受けホゾ穴上側があり、２８のパイプ用側板溝アリ桟ケース側がある。【００２７】また、吸盤を押さえるためのパイプ用穴アリ桟ケース側３２がある。【００２８】さらに、パイプ２の先端にはアリ桟５２を受ける為のアリ桟受用ボルト３０と３１のアリ桟受用座金がある。【００２９】また、アリ桟ケース底板１０には、１１のアリ桟ケース側板大が長手方向に１２のアリ桟ケース側板小が妻手方向に固定され、それぞれにビス用下穴２９があけられている。【００３０】また、２９のビス用下穴を隠す為に１３のビス穴かくし板が貼り付けられる。【００３１】また、１１のアリ桟ケース側板大の１５かくし桟用溝に打ったビスも１４のビス穴かくし桟で隠される。【００３２】図６は、アリ桟ケース底板１０の側断面図である。【００３３】図７において、４８の樌を受ける為の１６樌受けがある。【００３４】１６樌受けには上に樌受けホゾ上側１７があり下には１８の樌受けホゾ下側がある。【００３５】さらに、４８の樌を通す為の樌穴１９がある。【００３６】さらに、パイプ用側板溝２１があり、パイプ２と樌受け１６が接触しないように２２のパイプ接触防止溝がある。【００３７】側板受け２３には、側板受けホゾ上側２４と２５の側板受けホゾ下側とがある。【００３８】さらに２１のパイプ用側板溝と２２のパイプ接触防止溝がある。【００３９】さらに、２１のパイプ用側板溝に入る２０パイプ用側板が４枚ある。【００４０】図８は、吸盤１を収納するための吸盤ケース６２の分解図である。吸盤ケース天板３４には樌受けホゾ穴下側３９、側板受けホゾ穴下側４０があり、３７のパイプ用側板溝吸盤ケース側がある。【００４１】また、吸盤を押さえるための３８パイプ用穴吸盤ケース側がある。【００４２】また、吸盤ケース天板３４には３５の吸盤ケース側板大が長手方向に、３６の吸盤ケース側板小が妻手方向に固定され、それぞれにビス用下穴２９があけられている。【００４３】また、１５のかくし桟用溝に打ったビスも１４のビス穴かくし桟で隠される。【００４４】また、４１の吸盤ケース底板は３５の吸盤ケース側板大と、３６の吸盤ケース側板小の４７の吸盤ケース底板用溝によって組み込まれる。さらに底には吸盤用の穴４２をあける。【００４５】また、４１の吸盤ケース底板には揺れに対するクッション材として４３の吸盤ケーススポンジ材が貼り付けられている。同じく吸盤用の穴４４をあける。【００４６】図９は、吸盤ケース３４の側断面図である。【００４７】図１０において、４３の吸盤ケーススポンジ材の下には、４５すべり止め材を貼り付けて吸盤用の穴４６をあける。【００４８】４６の吸盤用穴には２のパイプが通る。【００４９】１９の樌穴には４８樌が入り、くさび用ホゾ穴５０が両方にあけられ４９くさびが入る。【００５０】この避難用テーブルは、大きく分けて、天板、アリ桟、一対の足、樌になる。図１１の、６５コイルスプリングは吸着前の移動時に吸盤が引っかからないためのものである。【００５１】図１１において１０、１１、１２、を組んだ６１アリ桟ケースと、３４、３５、３６、４１を組んだ吸盤ケース６２とを１６樌受け、２３側板受で組み込み１個の足となった図である。【００５２】６１アリ桟ケースには、アリ桟５２が入った時に焼き入れボルト５６が入る為の５５ボルト穴側板が穴あけされている。同じく、アリ桟５２にも５４ボルト穴アリ桟があいている。【００５３】図１２は、天板５１を６１アリ桟ケースに入れた図である。【００５４】５２アリ桟により押された３０アリ桟受用ボルトは取り付けしてあるパイプ２により６の吸盤押さえと１の吸盤とを押さえて６３のフローリングに吸着する。【００５５】この時、天板５１は５３天板用クッションに当たる。【００５６】図１３は、天板５１を６１のアリ桟ケースに納める前の斜視図である。まず組み立ての順番は４８樌を１９樌穴に入れる。そして４９くさびを入れて締める。それから、アリ桟５２をアリ桟ケース６１に入れ５６焼入れボルトを通して焼き入れナット５７で締めて５８埋め木をして完了である。【００５７】図１４は地震の際に子供の避難者６０が避難用テーブルの下に入っている図である。【００５８】また、避難用テーブルの設置場所は畳、ジュータン等は不可でフローリング、クッションフロアーでないと置けない。又、フローリングでも、ジョイントの溝と溝の距離が短くて空気が漏れやすい時は、テーブルの足の下に少し粘着があり、簡単に剥がせるシートを貼れば設置可能である。【００５９】以上のように本実施形態によれば大地震でも安全に、いわゆる災害弱者といわれる子供、老人、女性にでも使いやすい避難用テーブルとして提供出来るものである。
【図面の簡単な説明】寸法、形状の比例関係はわかりやすくする為に誇張して描いている箇所もある。また、足は２本とも同じ形なので１本だけの図面を書いている。【００６０】
【図１】本発明に利用し、作り変えた吸盤の図である。
【図２】同じく吸盤の吸着力を向上させた断面図である。
【図３】同じく吸盤の吸着力を実験した断面図である。
【図４】同じく吸盤が横からの力で変形しないようにした断面図である。
【図５】同じくアリ桟ケースの分解図である。
【図６】同じくアリ桟ケース底板の側断面図である。
【図７】同じくアリ桟ケースと吸盤ケースを継ぐ部材の分解図である。
【図８】同じく吸盤ケースの分解図である。
【図９】同じく吸盤ケース天板の側断面図である。
【図１０】同じくすべり止め材と吸盤そして樌の斜視図である。
【図１１】同じく天板をアリ桟ケースに入れる前の断面図である。
【図１２】同じく天板をアリ桟ケースに納めて吸盤が吸着した断面図である。
【図１３】同じく天板、足、樌の組み立てを示した斜視図である。
【図１４】同じく地震時に避難者が避難用テーブルの下に入っている図である。
【符号の説明】
【００６１】  １    吸盤
２    パイプ
３    メネジ
４    手
５    吸盤内側
６    吸盤押さえ
７    フローリング
８    １０ｋｇ角材
９    変形防止リング
１０    アリ桟ケース底板
１１    アリ桟ケース側板大
１２    アリ桟ケース側板小
１３    ビス穴かくし板
１４    ビス穴かくし桟
１５    かくし桟用溝
１６    樌受け
１７    樌受けホゾ上側
１８    樌受けホゾ下側
１９    樌穴
２０    パイプ用側板
２１    パイプ用側板溝
２２    パイプ接触防止溝
２３    側板受け
２４    側板受けホゾ上側
２５    側板受けホゾ下側
２６    樌受けホゾ穴上側
２７    側板受けホゾ穴上側
２８    パイプ用側板溝アリ桟ケース側
２９    ビス用下穴
３０    アリ桟受用ボルト
３１    アリ桟受用座金
３２    パイプ用穴アリ桟ケース側
３３    すべり止め材
３４    吸盤ケース天板
３５    吸盤ケース側板大
３６    吸盤ケース側板小
３７    パイプ用側板溝吸盤ケース側
３８    パイプ用穴吸盤ケース側
３９    樌受けホゾ穴下側
４０    側板受けホゾ穴下側
４１    吸盤ケース底板
４２    吸盤穴底板側
４３    吸盤ケーススポンジ材
４４    吸盤穴スポンジ材側
４５    すべり止め材
４６    吸盤穴すべり止め側
４７    吸盤ケース底板用溝
４８    樌
４９    くさび
５０    くさび用ホゾ穴
５１    天板
５２    アリ桟
５３    天板用クッション
５４    ボルト穴アリ桟
５５    ボルト穴側板
５６    焼き入れボルト
５７    焼き入れナット
５８    埋め木
５９    足
６０    避難者
６１    アリ桟ケース
６２    吸盤ケース
６３    フローリング
６４    アリ桟受用ボルト穴
６５    コイルスプリング
【図１】
2005199003.tif 000003
【図２】
2005199003.tif 000004
【図３】
2005199003.tif 000005
【図４】
2005199003.tif 000006
【図５】
2005199003.tif 000007
【図６】
2005199003.tif 000008
【図７】
2005199003.tif 000009
【図８】
2005199003.tif 000010
【図９】
2005199003.tif 000011
【図１０】
2005199003.tif 000012
【図１１】
2005199003.tif 000013
【図１２】
2005199003.tif 000014
【図１３】
2005199003.tif 000015
【図１４】
2005199003.tif 000016